(57)【特許請求の範囲】
【請求項１】
所定の管理区域からの脱出に伴って盗難防止のための機能を発揮するタグ(10)と、該タグ(10)を商品(９)に取り付けるための商品取付け部材(２)とから構成され、商品取付け部材(２)は、釦(22)と、該釦(22)に突設されて、タグ(10)のハウジング(１)に開設されたピン孔(12a)からハウジング(１)内へ侵入すべきピン(21)とを具え、タグ(10)のハウジング(１)内には、前記ピン孔(12a)から侵入した商品取付け部材(２)のピン(21)をクランプするためのクランプ部材(３)と、商品取付け部材(２)の釦(22)により押下されるべきオン／オフスイッチ(８)と、該オン／オフスイッチ(８)からのオン／オフ信号に基づいて動作が制御される盗難発生報知器とが配備され、前記クランプ部材(３)は、前記商品取付け部材(２)のピン(21)が挿通されて該ピン(21)を引き抜き不能にクランプするクランプ部(34)を具え、ハウジング(１)内に設けられた支持軸により回転可能に支持されて、一方向の回転に伴ってクランプ部(34)が前記ピン(21)から離脱することが可能であると共に、該回転に対して弾性反発力が与えられ、ハウジング(１)には、前記クランプ部材(３)を押圧して前記一方向に回転させるためのクランプ解除用プローブ(７)の侵入路(14)が形成され、前記オン／オフスイッチ(８)は、ハウジング(１)に開設された貫通孔(12b)からハウジング(１)の外側へ先端部が突出する作動片(82)と、該作動片(82)の基端部を包囲して形成された円筒ガイド部(83)とを具え、該円筒ガイド部(83)が、前記クランプ部材(３)の支持軸を構成している盗難防止装置。
【請求項２】
クランプ部材(３)には、オン／オフスイッチ(８)の円筒ガイド部(83)が嵌合する丸孔(35)が開設されている請求項１に記載の盗難防止装置。
【請求項３】
クランプ部材(３)は板金製であって、該クランプ部材(３)にはスプリング片(36)が突設され、該スプリング片(36)の先端部がハウジング(１)内に係止されて、該スプリング片(36)が前記弾性反発力を発揮する請求項１又は請求項２に記載の盗難防止装置。
【請求項４】
盗難発生報知器はハウジング(１)に内蔵されたブザー(６)によって構成される請求項１乃至請求項３の何れかに記載の盗難防止装置。
【発明の詳細な説明】
【０００１】
【発明の属する技術分野】
本発明は、商品に取り付けられて商品の盗難を防止する盗難防止装置に関し、特に、所定の管理区域からの脱出に伴って盗難防止のための機能を発揮するタグと、該タグを商品に取り付けるための商品取付け部材とから構成される盗難防止装置に関するものである。
【０００２】
【従来の技術】
従来、図９〜図１５に示す如き盗難防止装置が提案されている(特許第２８４９０４８号[G08B13/24])。該盗難防止装置は、図９に示す如く、下半体(17)及び上半体(18)からなる扁平なハウジング(16)を具えたタグ(15)と、該タグ(15)を衣類等の商品(９)に取り付けるための商品取付け部材(２)とから構成される。
図１０に示す如く、タグ(15)のハウジング(16)には、タグ(15)が商品に取り付けられたままゲートを通過して店外へ持ち出されようとしたとき、所定の盗難防止機能を発揮して、ゲートに装備された盗難発生報知装置を動作させるためのセンサー(40)が内蔵されている。
【０００３】
商品取付け部材(２)は、図１５に示す如く、円盤状の釦(22)と、該釦(22)の裏面に突設されたピン(21)とから構成される。ハウジング(16)を構成する上半体(18)には、図１１に示す如く、前記商品取付け部材(２)のピン(21)が貫通すべきピン孔(18a)が開設されている。又、ハウジング(16)を構成する下半体(17)には、図１２に示す如く、前記商品取付け部材(２)のピン(21)の先端部が嵌入すべき円筒部(17a)が突設されている(図１０参照)。
【０００４】
タグ(15)のハウジング(16)の内部には、図１４に示す如く、板金製のスプリングクランプ部材(３)が配備される。該スプリングクランプ部材(３)は、図１３に示す如く、平板状の本体(31)に、前記商品取付け部材(２)のピン(21)を両側から挟持してクランプする為の一対のクランプ片(32)(32)が形成され、両クランプ片(32)(32)の先端面が対応する位置に、クランプ部(34)が形成されている。又、本体(31)には、丸孔(35)が開設されると共に、スプリング片(36)が突設されている。
【０００５】
図１２に示す如く、ハウジング下半体(17)には、前記円筒部(17a)から離れた位置に、段付きの円筒部(17b)が突設されている。
スプリングクランプ部材(３)は、図１４に示す如く、前記丸孔(35)に段付き円筒部(17b)を嵌入せしめることによって、ハウジング下半体(17)に回転可能に支持されている。又、スプリングクランプ部材(３)は、スプリング片(36)の先端部が下半体(17)に係止されており、本体(31)の反時計方向の回転に伴ってスプリング片(36)が弾性変形し、時計方向の回転反発力を本体(31)に与えるようになっている。
【０００６】
タグ(15)のハウジング(16)には、図９に示す如く小さな開口(13)が形成されており、該開口(13)は、図１４に示す如くハウジング下半体(17)に形成された侵入路(14)を経て、スプリングクランプ部材(３)の設置空間に通じている。
【０００７】
図９に示す様に、商品取付け部材(２)によってタグ(15)を商品(９)に取り付けた状態では、図１０に示す如く商品取付け部材(２)のピン(21)がスプリングクランプ部材(３)によってクランプされ、商品取付け部材(２)の引き抜きが阻止されている。
仮にタグ(15)が商品に取り付けられたままゲートを通過して店外へ持ち出されようとしたとき、タグ(15)に内蔵されたセンサー(40)は、ゲートに配備された盗難発生報知装置から無線信号(例えば磁力線)を受け、これに応答して、盗難防止装置へ無線信号(例えば磁場変化)を返す。この結果、盗難防止装置に内蔵されている警報装置が動作して、盗難の発生が報知される。
【０００８】
店員が商品からタグ(15)を取り外すために上記クランプを解除する場合には、図９に示すクランプ解除用のプローブ(７)が用いられる。
図１５に示す様に、ハウジング開口(13)から侵入路(14)を経てスプリングクランプ部材(３)の設置空間へ、プローブ(７)の先端部を挿入して、該先端部により、スプリングクランプ部材(３)の本体(31)をスプリング片(36)の弾性に抗して押圧する。これによって、スプリングクランプ部材(３)に反時計方向の回転が与えられ、これに伴って、スプリングクランプ部材(３)のクランプ部(34)が商品取付け部材(２)のピン(21)から離脱して、ピン(21)のクランプが解除される。この結果、商品取付け部材(２)の取り外しが可能となる。
【０００９】
【発明が解決しようとする課題】
ところが、上記盗難防止装置においては、図１０に示す如くスプリングクランプ部材(３)によってクランプされている商品取付け部材(２)のピン(21)を、簡単な工具を用いて根元で切断することは可能であるため、図９に示す如く商品(９)にタグ(15)が取り付けられている状態で、商品取付け部材(２)のピン(21)を切断することによって、商品(９)とタグ(15)とを分離し、商品(９)だけを不正に店外へ持ち出す事件が起きる問題があった。
そこで、ピン(21)の切断によってタグ(15)が商品から分離されたことを検知するセンサーをタグ(15)に装備する対策が考えられる。
しかしながら、タグ(15)は商品(９)に取り付けて用いるものであるために、出来るだけ小型であることが要求されるにも拘わらず、上記センサーの装備によってタグ(15)が大型化する問題が生じる。
本発明の目的は、上述の如き不正行為を確実に防止することが出来、然も小型の盗難防止装置を提供することである。
【００１０】
【課題を解決する為の手段】
本発明に係る盗難防止装置は、所定の管理区域からの脱出に伴って盗難防止のための機能を発揮するタグ(10)と、該タグ(10)を商品(９)に取り付けるための商品取付け部材(２)とから構成される。
商品取付け部材(２)は、釦(22)と、該釦(22)に突設されて、タグ(10)のハウジング(１)に開設されたピン孔(12a)からハウジング(１)内へ侵入すべきピン(21)とを具えている。
タグ(10)のハウジング(１)内には、前記ピン孔(12a)から侵入した商品取付け部材(２)のピン(21)をクランプするためのクランプ部材(３)と、商品取付け部材(２)の釦(22)により押下されるべきオン／オフスイッチ(８)と、該オン／オフスイッチ(８)からのオン／オフ信号に基づいて動作が制御される盗難発生報知器とが配備されている。
【００１１】
前記クランプ部材(３)は、前記商品取付け部材(２)のピン(21)が挿通されて該ピン(21)を引き抜き不能にクランプするクランプ部(34)を具え、ハウジング(１)内に設けられた支持軸により回転可能に支持されて、該支持軸と中心とする一方向の回転に伴って前記クランプ部(34)が前記ピン(21)から離脱することが可能であると共に、該回転に対して弾性反発力が与えられている。
ハウジング(１)には、前記クランプ部材(３)を押圧して前記一方向に回転させるためのクランプ解除用プローブ(７)の侵入路(14)が形成されている。
又、前記オン／オフスイッチ(８)は、ハウジング(１)に開設された貫通孔(12b)からハウジング(１)の外側へ先端部が突出する作動片(82)と、該作動片(82)の基端部を包囲して形成された円筒ガイド部(83)とを具え、該円筒ガイド部(83)が、前記クランプ部材(３)の支持軸を構成している。
【００１２】
上記本発明の盗難防止装置は、従来の盗難防止装置においてクランプ部材(３)を回転可能に支持するために形成されている段付き円筒部(17b)を省略し、その位置に、オン／オフスイッチ(８)を配置して、該オン／オフスイッチ(８)の円筒ガイド部(83)によってクランプ部材(３)を回転可能に支持したものである。
該盗難防止装置によれば、商品(９)にタグ(10)を取り付けたまま、所定の管理区域から脱出せんとした場合、従来装置と同様に該タグ(10)が発揮する盗難防止機能によって、その事態が店員等に報知される。
店員等が商品(９)からタグ(10)を取り外す場合には、従来装置と同様にクランプ解除用のプローブ(７)が用いられる。即ち、ハウジング(１)の侵入路(14)を経てクランプ部材(３)の設置空間へ、プローブ(７)の先端部を挿入して、該先端部により、クランプ部材(３)を前記弾性反発力に抗して押圧する。これによって、クランプ部材(３)が前記一方向に回転して、これに伴ってクランプ部(34)が商品取付け部材(２)のピン(21)から離脱して、ピン(21)のクランプが解除される。この結果、商品取付け部材(２)の取り外しが可能となる。
【００１３】
又、商品(９)にタグ(10)を取り付けた状態で、商品取付け部材(２)のピン(21)を切断した場合、商品取付け部材(２)の釦(22)がタグ(10)から脱落することによって、オン／オフスイッチ(８)の作動片(82)は釦(22)による押下が開放されて、押下位置から押下開放位置に突出し、オンからオフに切り替わることになる。この結果、オン／オフスイッチ(８)はオン信号の出力からオフ信号の出力に切り替わり、該オフ信号が盗難発生報知器へ供給されることにより、盗難の発生が報知される。
尚、店員等によるプローブ(７)を用いた商品取付け部材(２)の取り外しによっては、前記盗難発生報知器が動作しない様、信号処理が行なわれる。
【００１４】
【発明の効果】
上記本発明の盗難防止装置によれば、従来の盗難防止装置においてクランプ部材(３)を回転可能に支持するために形成されている段付き円筒部(17b)の代わりに、オン／オフスイッチ(８)の円筒ガイド部(83)が利用されているので、オン／オフスイッチ(８)の新設によってよってハウジング(１)が大型化することはない。従って、従来の盗難防止装置と同じ大きさを維持したまま、商品取付け部材(２)のピン(21)を切断することによる商品(９)の盗難を確実に防止することが出来る。
【００１５】
【発明の実施の形態】
以下、本発明の実施の形態につき、図面に沿って具体的に説明する。
本発明に係る盗難防止装置は、図９乃至図１５に示す従来の盗難防止装置(特許第２８４９０４８号)を改良したものであって、図９に示す外観や、装置の大きさに変わりはない。以下の説明において、従来装置と同じ構成部材には同じ符号を付して、必要に応じて、重複説明を省略する。
【００１６】
図１に示す如く、タグ(10)のハウジング(１)は、下半体(11)及び上半体(12)から構成され、該ハウジング(１)には、所定の盗難防止機能を発揮すべき回路基板(４)と、商品取付け部材(２)のピン(21)を切断する不正行為があったときに発鳴すべきブザー(６)と、電源となる電池(５)とが内蔵されている。
又、ハウジング(１)内には、商品取付け部材(２)のピン(21)を切断する不正行為があったとき、これを検知するためのオン／オフスイッチ(８)が配備されている。
【００１７】
オン／オフスイッチ(８)は、図５に示す如く、直方体状の本体(81)の上面に、円筒ガイド部(83)を突設すると共に、該円筒ガイド部(83)によって上下の摺動が案内された作動片(82)を突設して構成されており、本体(81)の側面には一対の端子(84)(84)が突設され、該一対の端子(84)(84)から、作動片(82)の押下位置(オン位置)と押下開放位置(オフ位置)の切り替わりに伴うオン／オフ信号を取り出すことが出来る。
【００１８】
図８に示す如く、オン／オフスイッチ(８)から出力されるオン／オフ信号は、前記回路基板(４)上の駆動回路(41)に供給されており、該駆動回路(41)は、オン／オフスイッチ(８)がオンからオフに切り替わったとき、ブザー(６)を駆動して、不正行為を報知する。尚、駆動回路(41)には電池(５)から電源が供給されている。
【００１９】
商品取付け部材(２)は、図７に示す如く、円盤状の釦(22)と、該釦(22)の裏面に突設されたピン(21)とから構成される。
ハウジング(１)を構成する上半体(12)には、図３に示す如く、前記商品取付け部材(２)の設置領域に、前記商品取付け部材(２)のピン(21)が貫通すべきピン孔(12a)が開設されると共に、前記オン／オフスイッチ(８)の作動片(82)が貫通すべき貫通孔(12b)が開設されている。又、ハウジング(１)を構成する下半体(11)には、図４に示す如く、前記商品取付け部材(２)のピン(21)の先端部が嵌入すべき円筒部(11a)が突設されると共に、前記オン／オフスイッチ(８)の本体(81)を収容保持するための枠体(11b)が突設されている(図５参照)。
【００２０】
タグ(10)のハウジング(１)の内部には、図６に示す如く、従来と同一構成のスプリングクランプ部材(３)が配備される。
該スプリングクランプ部材(３)は、図６に示す如く、本体(31)に開設した丸孔(35)にオン／オフスイッチ(８)の円筒ガイド部(83)を嵌入せしめることによって、ハウジング下半体(11)に回転可能に支持されている。又、スプリングクランプ部材(３)は、スプリング片(36)の先端部が下半体(11)に係止されており、本体(31)の反時計方向に伴ってスプリング片(36)が弾性変形し、時計方向の回転反発力を発揮するようになっている。
【００２１】
商品取付け部材(２)によってタグ(10)を商品に取り付けた状態では、図１に示す如く商品取付け部材(２)のピン(21)がスプリングクランプ部材(３)によってクランプされ、商品取付け部材(２)の引き抜きが阻止されている。
仮にタグ(10)が商品に取り付けられたままゲートを通過して店外へ持ち出されようとしたとき、タグ(10)は、ゲートに配備されている盗難発生報知装置から無線信号(例えば磁力線)を受け、これに応答して、盗難防止装置へ無線信号(例えば磁場変化)を返す。この結果、盗難防止装置に内蔵されている警報装置が動作して、盗難の発生が報知される。
【００２２】
店員が商品からタグ(10)を取り外すために上記クランプを解除する場合には、図７に示すクランプ解除用のプローブ(７)が用いられる。
図示の如く、ハウジング開口(13)から侵入路(14)を経てスプリングクランプ部材(３)の設置空間へ、プローブ(７)の先端部を挿入して、該先端部により、スプリングクランプ部材(３)の本体(31)をスプリング片(36)の弾性に抗して押圧する。これによって、スプリングクランプ部材(３)に反時計方向の回転が与えられ、これに伴って、スプリングクランプ部材(３)のクランプ部(34)が商品取付け部材(２)のピン(21)から離脱して、ピン(21)のクランプが解除される。この結果、商品取付け部材(２)の取り外しが可能となる。
【００２３】
又、商品にタグ(10)を取り付けた状態で、商品取付け部材(２)のピン(21)を切断した場合、商品取付け部材(２)の釦(22)がタグ(10)から脱落することによって、オン／オフスイッチ(８)の作動片(82)は釦(22)による押下が開放されて、押下位置から押下開放位置に突出し、オンからオフに切り替わることになる。この結果、オン／オフスイッチ(８)はオン信号の出力からオフ信号の出力に切り替わり、該オフ信号が前記駆動回路(41)に供給されることにより、ブザー(６)が駆動されて、盗難の発生が報知される。
尚、店員等によるプローブ(７)を用いた商品取付け部材(２)の取り外しによっては、前記駆動回路(41)が動作しない様、信号処理が行なわれる。
【００２４】
上述の如く、本発明の盗難防止装置によれば、従来の盗難防止装置においてクランプ部材(３)を回転可能に支持するために形成されていた段付き円筒部(17b)の代わりに、オン／オフスイッチ(８)の円筒ガイド部(83)が利用されているので、オン／オフスイッチ(８)の新設によってよってハウジング(１)が大型化することはない。従って、従来の盗難防止装置と同じ大きさを維持したまま、商品取付け部材(２)のピン(21)を切断することによる商品の盗難を確実に防止することが出来る。
【００２５】
尚、本発明の各部構成は上記実施の形態に限らず、特許請求の範囲に記載の技術的範囲内で種々の変形が可能である。例えば、上記実施例では、タグ(10)が商品(９)に取り付けられたままゲートを通過するとき、ゲートに配備した盗難防止装置が警報を発する構成を採用しているが、タグ(10)がゲートに配備した盗難防止装置から無線信号を受けて、内蔵せるブザー(６)を発鳴させる構成を採用することも可能である。
【図面の簡単な説明】
【図１】本発明に係る盗難防止装置において、タグに商品取付け部材を取り付けた状態の断面図である。
【図２】該盗難防止装置において、タグから商品取付け部材を取り外した状態の断面図である。
【図３】該装置のハウジング上半体の斜視図である。
【図４】該装置のハウジング下半体の斜視図である。
【図５】該装置に配備されるオン／オフスイッチの拡大斜視図である。
【図６】該装置においてハウジング下半体にスプリングクランプ部材を組み込んだ状態の拡大斜視図である。
【図７】該装置においてハウジング内にプローブを挿入した状態を示す拡大斜視図である。
【図８】本発明に係る盗難防止装置における回路構成を示すブロック図である。
【図９】従来の盗難防止装置の外観を示す斜視図である。
【図１０】該装置の断面図である。
【図１１】該装置のハウジング上半体の斜視図である。
【図１２】該装置のハウジング下半体の斜視図である。
【図１３】スプリングクランプ部材の拡大斜視図である。
【図１４】該装置においてハウジング下半体にスプリングクランプ部材を組み込んだ状態の拡大斜視図である。
【図１５】該装置においてハウジング内にプローブを挿入した状態を示す拡大斜視図である。
【符号の説明】
(10)  タグ
(１)  ハウジング
(11)  下半体
(12)  上半体
(13)  開口
(14)  侵入路
(２)  商品取付け部材
(21)  ピン
(22)  釦
(３)  スプリングクランプ部材
(34)  クランプ部
(35)  丸孔
(４)  回路基板
(５)  電池
(６)  ブザー
(７)  プローブ
(８)  オン／オフスイッチ
(82)  スイッチ作動片
(83)  円筒ガイド部
(９)  商品
【図１】
0004252713.tif 000002
【図２】
0004252713.tif 000003
【図３】
0004252713.tif 000004
【図４】
0004252713.tif 000005
【図５】
0004252713.tif 000006
【図６】
0004252713.tif 000007
【図７】
0004252713.tif 000008
【図８】
0004252713.tif 000009
【図９】
0004252713.tif 000010
【図１０】
0004252713.tif 000011
【図１１】
0004252713.tif 000012
【図１２】
0004252713.tif 000013
【図１３】
0004252713.tif 000014
【図１４】
0004252713.tif 000015
【図１５】
0004252713.tif 000016